(57)【特許請求の範囲】
【請求項１】
上面部と底面部の各側部間にサイドガセット部が設けられ、上面部と底面部とサイドガセット部の各端部を重ね合わせて端部重合部が設けられた包材内に被包装物が包装されているピロー包装体であって、
上面部の各側部と各サイドガセット部の上側部とを重ね合わせた側部重合部が設けられ、各端部重合部及び各側部重合部に剥離可能な弱シールによってライン状のシール部が設けられ、該シール部が側部重合部の端縁よりも内側に設けられることにより、該端縁とシール部との間の上面部に摘み部が設けられ、
前記各側部重合部は、フィルムが折り返されて重ね合わされ、前記摘み部を有するようにフィルムの折返縁側が切除されることによって設けられていることを特徴とするピロー包装体。
【請求項２】
上面部と底面部の各側部間にサイドガセット部が設けられ、上面部と底面部とサイドガセット部の各端部を重ね合わせて端部重合部が設けられた包材内に被包装物が包装されているピロー包装体であって、
上面部の各側部と各サイドガセット部の上側部とを重ね合わせた側部重合部が設けられ、各端部重合部及び各側部重合部に剥離可能な弱シールによってライン状のシール部が設けられ、該シール部が側部重合部の端縁よりも内側に設けられることにより、該端縁とシール部との間の上面部に摘み部が設けられ、
前記一方の側部重合部は、フィルムの一端部とフィルムの他端部とが重ね合わされて設けられ、他方の側部重合部は、フィルムが折り返されて重ね合わされ、前記摘み部を有するようにフィルムの折返縁側が切除されることによって設けられていることを特徴とするピロー包装体。
【請求項３】
上面部と底面部の各側部間にサイドガセット部が設けられ、上面部と底面部とサイドガセット部の各端部を重ね合わせて端部重合部が設けられた包材内に被包装物が包装されているピロー包装体であって、
上面部の各側部と各サイドガセット部の上側部とを重ね合わせた側部重合部が設けられ、一方の端部重合部及び各側部重合部に剥離可能な弱シールによってライン状のシール部が設けられ、該シール部が側部重合部の端縁よりも内側に設けられることにより、該端縁とシール部との間の上面部に摘み部が設けられ、他方の端部重合部にライン状のシール部が設けられ、
前記各側部重合部は、フィルムが折り返されて重ね合わされ、前記摘み部を有するようにフィルムの折返縁側が切除されることによって設けられていることを特徴とするピロー包装体。
【請求項４】
上面部と底面部の各側部間にサイドガセット部が設けられ、上面部と底面部とサイドガセット部の各端部を重ね合わせて端部重合部が設けられた包材内に被包装物が包装されているピロー包装体であって、
上面部の各側部と各サイドガセット部の上側部とを重ね合わせた側部重合部が設けられ、一方の端部重合部及び各側部重合部に剥離可能な弱シールによってライン状のシール部が設けられ、該シール部が側部重合部の端縁よりも内側に設けられることにより、該端縁とシール部との間の上面部に摘み部が設けられ、他方の端部重合部にライン状のシール部が設けられ、
前記一方の側部重合部は、フィルムの一端部とフィルムの他端部とが重ね合わされて設けられ、他方の側部重合部は、フィルムが折り返されて重ね合わされ、前記摘み部を有するようにフィルムの折返縁側が切除されることによって設けられていることを特徴とするピロー包装体。
【請求項５】
上面部と底面部の各側部間にサイドガセット部が設けられ、上面部と底面部とサイドガセット部の各端部を重ね合わせて端部重合部が設けられた包材内に被包装物が包装されているピロー包装体であって、
上面部の各側部と各サイドガセット部の上側部とを重ね合わせた側部重合部が設けられ、各端部重合部及び一方の側部重合部に剥離可能な弱シールによってライン状のシール部が設けられ、該シール部が側部重合部の端縁よりも内側に設けられることにより、該端縁とシール部との間の上面部に摘み部が設けられ、
前記一方の側部重合部は、フィルムが折り返されて重ね合わされ、前記摘み部を有するようにフィルムの折返縁側が切除されることによって設けられ、他方の側部重合部は、フィルムが折り返されて重ね合わされることによって設けられていることを特徴とするピロー包装体。
【請求項６】
底面部の各側部と各サイドガセット部の下側部とを重ね合わせた下部重合部が設けられ、該下部重合部にライン状のシール部が設けられていることを特徴とする請求項１から５のいずれか１項に記載のピロー包装体。
【請求項７】
包材は、長手方向に沿って形成された所定幅の山折り状の襞部を幅方向に所定間隔を有して少なくとも一対備えているピロー包装用原反により、各襞部が側部重合部となるように被包装物を一巻きし、該ピロー包装用原反を幅方向に切断することにより、上面部と底面部とサイドガセット部を設け、各襞部の折返縁側が切除されて形成されていることを特徴とする請求項１又は３に記載のピロー包装体。
【請求項８】
包材は、長手方向に沿って形成された所定幅の山折り状の襞部を幅方向に所定間隔を有して少なくとも一対備えているピロー包装用原反により、各襞部が側部重合部となるように被包装物を一巻きし、該ピロー包装用原反を幅方向に切断することにより、上面部と底面部とサイドガセット部を設け、一方の襞部の折返縁側が切除されて形成されていることを特徴とする請求項５に記載のピロー包装体。
【請求項９】
包材は、長手方向に沿って形成された所定幅の山折り状の襞部を少なくとも一列備えているピロー包装用原反が被包装物を一巻きし、ピロー包装用原反の各側部の裏面同士を重ね合わせて一方の側部重合部が設けられ、かつ、襞部によって他方の側部重合部が設けられ、ピロー包装用原反を幅方向に切断することにより、上面部と底面部とサイドガセット部を設け、襞部の折返縁側が切除されて形成されていることを特徴とする請求項２又は４に記載のピロー包装体。
【請求項１０】
フィルムは、重ね合わされる面側にイージーピール層が設けられていることを特徴とする請求項１から９のいずれか１項に記載のピロー包装体。
【発明の詳細な説明】
【技術分野】
【０００１】
本発明は、食品や日用品などの被包装物をピロー包装によって包装するピロー包装体に関し、詳しくは、上面部と底面部の両側部間にサイドガセット部が設けられ、上面部を開封することができるようにしたピロー包装体に関する。
【背景技術】
【０００２】
食品や日用品などの被包装物をピロー包装によって包装し、しかも、容易に開封することができるようにしたピロー包装体が各種提供されている。例えば、特許文献１には、調理済みの冷凍食品を電子レンジで加熱することができるようにした電子レンジ用包装袋が開示されている。
【０００３】
この電子レンジ用包装袋は、図１１に示すように、一対の側面にガセット（サイドガセット部）１０１，１０１を設け、上面のセンター（図示しないが、サイドでもよい。）に合掌シール方式によって縦シール部１０２を形成し、一対の端部に端部シールによって端部シール部１０３，１０３を形成している。前記縦シール部１０２には、内部と外部とが通じるようにするための弱シール部（図示せず）が所定のパターンで形成されている。また、端部シール部１０３，１０３は、内容物１００の充填とほぼ同時に形成される。
【０００４】
この電子レンジ用包装袋は、電子レンジで調理され、内圧が高まることにより、弱シール部が剥離する。そして、使用者がこの剥離した弱シール部を開封基点として縦シール部１０２を開き、続いて端部シール部１０３，１０３を開く。このようにして、この電子レンジ用包装袋は、上部が大きく開封されることから、そのままの状態で食卓に供される。また、この電子レンジ用包装袋は、ガセット１０１，１０１によって深みを有していることから、内容物１００が液汁の多い調理食品であっても皿の代用として使用することができる。
【０００５】
【特許文献１】特許第３８０２１５９号公報
【発明の開示】
【発明が解決しようとする課題】
【０００６】
特許文献１に開示された電子時レンジ用包装袋は、開封するため、使用者が弱シール部から縦シール部１０２を開き、一方の端部シール部１０３を開き、そして他方の端部シール部１０３を開かなければならず、開封性がよいといえない。また、弱シール部は、電子レンジによって包装袋の内圧が高められ、縦シール部１０２に内側から張力が作用することによって剥離するようにされているため、電子レンジの使用状況により、弱シール部が剥離しないことがある。あるいは、弱シール部のシール強度を的確に設定することが容易でない。
【０００７】
また、弱シール部の強度を的確に設定することができ、所期の状態に剥離したとしても、弱シール部は、内側からの張力が集中的に作用することができるように小さく形成されていることから、縦シール部１０２の開封起点として摘みにくく、縦シール部１０２を容易に開封することができない。
【０００８】
そこで、本発明は、サイドガセット部を有しながら、容易に開封することができるようにしたピロー包装体を提供することを課題とする。
【課題を解決するための手段】
【０００９】
本発明に係る第１のピロー包装体は、上面部と底面部の各側部間にサイドガセット部が設けられ、上面部と底面部とサイドガセット部の各端部を重ね合わせて端部重合部が設けられた包材内に被包装物が包装されているピロー包装体であって、上面部の各側部と各サイドガセット部の上側部とを重ね合わせた側部重合部が設けられ、各端部重合部及び各側部重合部に剥離可能な弱シールによってライン状のシール部が設けられ、該シール部が側部重合部の端縁よりも内側に設けられることにより、該端縁とシール部との間の上面部に摘み部が設けられ、前記各側部重合部は、フィルムが折り返されて重ね合わされ、前記摘み部を有するようにフィルムの折返縁側が切除されることによって設けられていることを特徴としている。
また、本発明に係る第２のピロー包装体は、上面部と底面部の各側部間にサイドガセット部が設けられ、上面部と底面部とサイドガセット部の各端部を重ね合わせて端部重合部が設けられた包材内に被包装物が包装されているピロー包装体であって、上面部の各側部と各サイドガセット部の上側部とを重ね合わせた側部重合部が設けられ、各端部重合部及び各側部重合部に剥離可能な弱シールによってライン状のシール部が設けられ、該シール部が側部重合部の端縁よりも内側に設けられることにより、該端縁とシール部との間の上面部に摘み部が設けられ、前記一方の側部重合部は、フィルムの一端部とフィルムの他端部とが重ね合わされて設けられ、他方の側部重合部は、フィルムが折り返されて重ね合わされ、前記摘み部を有するようにフィルムの折返縁側が切除されることによって設けられていることを特徴としている。
【００１０】
この第１及び第２のピロー包装体によれば、上面部と底面部の各側部間にサイドガセット部が設けられることにより、底面部と一対のサイドガセット部で囲まれた舟形状の器状体が形成される。そして、上面部の両側部と各サイドガセット部の上側部とが重なり合って設けられた各側部重合部、及び上面部と底面部とサイドガセット部の各端部が重なり合って設けられた各端部重合部に、それぞれ剥離可能な弱シールによってライン状のシール部が設けられていることにより、前記器状体内に被包装物が密封され、そして、上面部が捲られることによって前記器状体を開封することができる。上面部を捲るに際して、側部重合部のシール部が端縁よりも内側に設けられ、このシール部と端縁との間の上面部に摘み部が設けられることにより、この摘み部を摘んで、上面部を捲りやすくされている。そして、側部重合部と端部重合部とのシール部は、すべて弱シールによって設けられているため、上面部は完全に剥離され、器状体から完全に分離される。
【００１１】
また、本発明に係る第３のピロー包装体は、上面部と底面部の各側部間にサイドガセット部が設けられ、上面部と底面部とサイドガセット部の各端部を重ね合わせて端部重合部が設けられた包材内に被包装物が包装されているピロー包装体であって、上面部の各側部と各サイドガセット部の上側部とを重ね合わせた側部重合部が設けられ、一方の端部重合部及び各側部重合部に剥離可能な弱シールによってライン状のシール部が設けられ、該シール部が側部重合部の端縁よりも内側に設けられることにより、該端縁とシール部との間の上面部に摘み部が設けられ、前記他方の端部重合部にライン状のシール部が設けられ、各側部重合部は、フィルムが折り返されて重ね合わされ、前記摘み部を有するようにフィルムの折返縁側が切除されることによって設けられていることを特徴としている。
また、本発明に係る第４のピロー包装体は、上面部と底面部の各側部間にサイドガセット部が設けられ、上面部と底面部とサイドガセット部の各端部を重ね合わせて端部重合部が設けられた包材内に被包装物が包装されているピロー包装体であって、上面部の各側部と各サイドガセット部の上側部とを重ね合わせた側部重合部が設けられ、一方の端部重合部及び各側部重合部に剥離可能な弱シールによってライン状のシール部が設けられ、該シール部が側部重合部の端縁よりも内側に設けられることにより、該端縁とシール部との間の上面部に摘み部が設けられ、他方の端部重合部にライン状のシール部が設けられ、前記一方の側部重合部は、フィルムの一端部とフィルムの他端部とが重ね合わされて設けられ、他方の側部重合部は、フィルムが折り返されて重ね合わされ、前記摘み部を有するようにフィルムの折返縁側が切除されることによって設けられていることを特徴としている。
この第３及び第４のピロー包装体によれば、前記第１及び第２のピロー包装体と同様、上面部と底面部の各側部間にサイドガセット部が設けられることにより、底面部と一対のサイドガセット部で囲まれた舟形状の器状体が形成される。そして、上面部の各側部と各サイドガセット部の上側部とが重なり合って設けられた各側部重合部、及び上面部と底面部とサイドガセット部の各端部が重なり合って設けられた各端部重合部にシール部が設けられていることにより、前記器状体内に被包装物が密封される。ただし、この第３及び第４のピロー包装体は、第１及び第２のピロー包装体と異なり、各側部重合部の弱シールによるシール部の少なくとも一つが端縁よりも内側に設けられ、このシール部と端縁との間の上面部に摘み部が設けられ、上面部が一方の端部重合部から他方の端部重合部の方へ捲られて開封される。そして、他方の端部重合部に弱シールによってシール部が設けられる場合において、この他方の端部重合部のシール部を捲らないことにより、上面部を蓋体として残存させることができる。また、他方の端部重合部に、弱シールによらない通常のシールによってシール部が設けられることにより、この他方の端部重合部が剥離しないため、上面部は蓋体として残存する。
【００１２】
また、本発明に係る第５のピロー包装体は、上面部と底面部の各側部間にサイドガセット部が設けられ、上面部と底面部とサイドガセット部の各端部を重ね合わせて端部重合部が設けられた包材内に被包装物が包装されているピロー包装体であって、上面部の各側部と各サイドガセット部の上側部とを重ね合わせた側部重合部が設けられ、各端部重合部及び一方の側部重合部に剥離可能な弱シールによってライン状のシール部が設けられ、該シール部が側部重合部の端縁よりも内側に設けられることにより、該端縁とシール部との間の上面部に摘み部が設けられ、前記一方の側部重合部は、フィルムが折り返されて重ね合わされ、前記摘み部を有するようにフィルムの折返縁側が切除されることによって設けられ、他方の側部重合部は、フィルムが折り返されて重ね合わされることによって設けられていることを特徴としている。
【００１３】
この第５のピロー包装体によれば、前記第１ないし第４のピロー包装体と同様、上面部と底面部の各側部間にサイドガセット部が設けられることにより、底面部と一対のサイドガセット部で囲まれた舟形状の器状体が形成される。そして、上面部の各側部と各サイドガセット部の上側部とが重なり合って設けられた各側部重合部、及び上面部と底面部とサイドガセット部の各端部が重なり合って設けられた各端部重合部にシール部が設けられていることにより、前記器状体内に被包装物が密封される。ただし、この第５のピロー包装体は、第１ないし第４のピロー包装体と異なり、一方の側部重合部の弱シールによるシール部の少なくとも一つが端縁よりも内側に設けられ、このシール部と端縁との間の上面部に摘み部が設けられることにより、上面部が一方の側部重合部から他方の側部重合部の方へ捲られて開封される。そして、他方の側部重合部に弱シールによるシール部が設けられる場合において、この他方の側部重合部のシール部を捲らないことにより、上面部を蓋体として残存させることができる。また、他方の側部重合部に、弱シールによらない通常のシールによってシール部が設けられる場合は、この他方の側部重合部が剥離しないため、上面部は蓋体として残存する。
【００１５】
また、前記本発明に係る第１及び第３のピロー包装体によれば、上面部の各側部と各サイドガセット部の上側部とを重ね合わせた側部重合部がフィルムを折り返して重ね合わされて設けられることにより、生産性を向上させることができ、また、折り返されたフィルムの折返縁側が切除させることにより、上面部が前記シールされたサイドガセット部の上側部から分離し、捲られるようにすることができる。
【００１７】
また、前記本発明に係る第２及び第４のピロー包装体によれば、一方の側部重合部がフィルムの一端部とフィルムの他端部とを重ね合わされて設けられ、他方の側部重合部がフィルムを折り返して重ね合わされることによって設けられるため、生産性を向上させることができ、また、他方の側部重合部で折り返されて重ね合わされたフィルムの折返縁側が切除させることにより、上面部が前記シールされたサイドガセット部の上側部から分離し、捲られるようにすることができる。なお、一方の側部重合部は、フィルムの一端部とフィルムの他端部とが重ね合わされて設けられるため、端縁を切除しなくても上面部を前記サイドガセット部の上側部から剥離して捲ることができる。
【００１９】
また、前記本発明に係る第５のピロー包装体によれば、両方の側部重合部がフィルムを折り返して重ね合わせて設けられることにより、生産性を向上させることができる。そして、第５のピロー包装体において、フィルムが折り返されて重ね合わされた一方の側部重合部の折返縁が切除されることによって、この一方の側部重合部から上面部を捲ることができる。この捲られた上面部が蓋体として残存するため、フィルムが折り返されて重ね合わされた他方の折返縁側は切除されない。
【００２２】
また、前記各本発明に係るピロー包装体において、底面部の各側部と各サイドガセット部の下側部とを重ね合わせた下部重合部が設けられ、該下部重合部にライン状のシール部が設けられていることが好ましい。
【００２３】
このピロー包装体によれば、底面部の各側部と各サイドガセット部の下側部とを重ね合わせた下部重合部が設けられ、この下部重合部がライン状にシールされることにより、この下部重合部が剛性を有するものとなり、前記器状体をトレイとして機能させることができる。
【００２４】
また、各側部重合部がフィルムを折り返して重ね合わせることによって設けられ、各フィルムの折返縁側が切除される前記本発明に係るピロー包装体において、包材は、長手方向に沿って形成された所定幅の山折り状の襞部を幅方向に所定間隔を有して少なくとも一対備えているピロー包装用原反により、各襞部が側部重合部となるように被包装物を一巻きし、該ピロー包装用原反を幅方向に切断することにより、上面部と底面部とサイドガセット部を設け、各襞部の折返縁側が切除されて形成されていることが好ましい。
【００２５】
このピロー包装体によれば、前記包材が少なくとも一対の各襞部を長さ方向に形成したピロー包装用原反から形成される。このピロー包装用原反は、各側部が重ね合わされて被包装物を一巻きし、一対の襞部が側部重合部となることにより、包材の生産性を向上させることができる。そして、各襞部は、フィルムが折り返されて重ね合わされるため、設けられる上面部とサイドガセット部とが一体となっている。そこで、各襞部の折返縁側が切除されることにより、上面部とサイドガセット部とを分離し、上面部がサイドガセット部から完全に捲ることができるようにされている。
【００２６】
また、各側部重合部がフィルムを折り返して重ね合わせることによって設けられ、一方のフィルムの折返縁側が切除される前記本発明に係るピロー包装体において、包材は、長手方向に沿って形成された所定幅の山折り状の襞部を幅方向に所定間隔を有して少なくとも一対備えているピロー包装用原反により、各襞部が側部重合部となるように被包装物を一巻きし、該ピロー包装用原反を幅方向に切断することにより、上面部と底面部とサイドガセット部を設け、一方の襞部の折返縁側が切除されて形成されていることが好ましい。
【００２７】
このピロー包装体によれば、包材が前記のピロー包装体と同様、少なくとも一対の襞部を長さ方向に形成したピロー包装用原反から形成される。このピロー包装用原反は、各側部が重ね合わされて被包装物を一巻きし、一対の襞部が側部重合部となることにより、包材の生産性を向上させることができる。そして、各襞部は、フィルムが折り返されて重ね合わされるため、設けられる上面部とサイドガセット部とが一体となっている。そこで、一方の側部重合部となる方の襞部の折返縁側が切除されることにより、上面部が一方の襞部の方から捲ることができるようにされる。ただし、このピロー包装体は、上面部が蓋部として残存するため、他方の襞部の折返縁側は切除されない。
【００２８】
また、一方の側部重合部がフィルムの端部とフィルムの端部とを重ね合わせて設けられ、他方の側部重合部がフィルムを折り返して重ね合わせ、この折返縁が切除されることによって設けられた前記本発明に係るピロー包装体において、包材は、長手方向に沿って形成された所定幅の山折り状の襞部を少なくとも一列備えているピロー包装用原反が被包装物を一巻きし、ピロー包装用原反の各側部の裏面同士を重ね合わせて一方の側部重合部が設けられ、かつ、襞部によって他方の側部重合部が設けられ、ピロー包装用原反を幅方向に切断することにより、上面部と底面部とサイドガセット部を設け、襞部の折返縁側が切除されて形成されていることが好ましい。
【００２９】
このピロー包装体によれば、包材が少なくとも一列の襞部を備えたピロー包装用原反から形成される。このピロー包装用原反は、各側部の裏面同士が重ね合わされて被包装物を一巻きし、重ね合わされた各側部によって一方の側部重合部が設けられ、一列の襞部によって他方の側部重合部が設けられるため、包材の生産性を向上させることができる。そして、一列の襞部は、フィルムが折り返されて重ね合わされるため、設けられる上面部とサイドガセット部とが一体となっている。そこで、この襞部の折返縁側が切除されることにより、上面部とサイドガセット部とに分離し、上面部がサイドガセット部から完全に捲ることができるようにされている。
【００３２】
また、フィルムによって包材を形成する前記本発明に係るピロー包装体において、フィルムは、重ね合わされる面側にイージーピール層が設けられていることが好ましい。
【００３３】
このピロー包装体によれば、フィルムが重ね合わされる面側にイージーピール層が設けられることにより、フィルムが折り返されて重ね合わされて設けられる端部重合部及び側部重合部に弱シール部を容易に設けることができる。
【発明の効果】
【００３４】
本発明によれば、上面部の側部とサイドガセット部の上側部とを重ね合わせた重合部に剥離可能な弱シールによってライン状のシール部が設けられることにより、被包装物を密封し、そして容易に開封することのできるピロー包装体が提供されるため、上面部の開封操作を良好にすることができる。
【発明を実施するための最良の形態】
【００３５】
〔第１の実施形態〕
本発明に係るピロー包装体の第１の実施形態について図１ないし図５を参照しながら説明する。このピロー包装体は、図１に示すように、被包装物１をピロー包装によって包装する包材１０を備え、この包材１０には、四角形状の上面部１１と、この上面部１１と同じ形状の底面部１２と、この上面部１１及び底面部１２と同じ長さで二つ折りにされた一対のサイドガセット部１３，１３とが備えられている。底面部１２と一対のサイドガセット部１３，１３により、舟形状の器状体（採番せず）が形成される。
【００３６】
なお、この第１の実施形態及び後記の第２、第３の実施形態において、図示した上面部１１及び底面部１２は長方形状であり、各実施形態では長辺側を側部、短辺側を端部という。
【００３７】
そして、各サイドガセット部１３の上側部は、外向きに折曲され、上面部１１の各側部と重ね合わされている。この重ね合わされたサイドガセット部１３の上側部と上面部１１の各側部が側部重合部１５とされ、この各側部重合部１５に剥離可能な弱シールによってライン状のシール部１５ａが設けられている。
【００３８】
また、上面部１１と底面部１２と両サイドガセット部１３の各端部も重ね合わされ、端部重合部１６が設けられている。この各端部重合部１６にも剥離可能な弱シールによってライン状のシール部１６ａが設けられている。したがって、包材１０は、弱シールによるシール部１５ａ，１６ａを４本設け、前記器状体内に被包装物１を密封し、上面部１１が捲られることによって弱シールが剥離され、開封することができるようにされている。
【００３９】
そして、上面部１１を捲りやすくするため、少なくとも１本のシール部１５ａ，１６ａは、側部重合部１５の端縁又は端部重合部１６の端縁よりも内側に設けられ、シール部１５ａ，１６ａと端縁との間の上面部１１に摘み部１７が設けられている。したがって、摘み部１７を設けない側部重合部１５又は端部重合部１６は、シール部１５a，１６ａが端縁よりも内側でなく、端縁に沿って設けられる。なお、図１は、４本のシール部１５a，１６ａとも各端縁よりも内側に設けられ、摘み部１７が４か所に設けられたピロー包装体を示している。
【００４０】
そして、各サイドガセット部１３の下側部も外向きに折曲され、底面部１２の各側部と重ね合わされ、下部重合部１８が設けられている。この各下部重合部１８には、剥離する又は剥離しないシールによってライン状のシール部１８ａが設けられている。このシール部１８ａによって下部重合部１８が剛性を有するものとなり、前記器状体をトレイとして機能させることができる。
【００４１】
ここで、第１の実施形態におけるピロー包装体の製造方法について説明する。ピロー包装体は、図２に示すような帯状で、かつ、重ね合わされる面側にイージーピール層が設けられたフィルムからなるピロー包装用原反２０によって製造される。このピロー包装用原反２０は、長手方向に沿って形成された所定幅の山折り状の襞部２１，２１…が幅方向に所定間隔を有して二対すなわち４列備えられている。
【００４２】
このピロー包装用原反２０は、図３に示すように、両側部２２，２２を重ね合わせて被包装物１を一巻きすることによって包材１０が形成される。すなわち、ピロー包装用原反２０の内側の一対の襞部２１，２１が側部重合部１５，１５となり、この側部重合部１５，１５間に上面部１１が設けられ、外側の一対の襞部２１，２１が下部重合部１８，１８となり、この下部重合部１８，１８間に底面部１２が設けられ、各側部重合部１５と下部重合部１８との間にサイドガセット部１３が設けられる。
【００４３】
なお、内側の一対の襞部２１，２１は、後述するように、折返縁側が切除されるため、その襞部２１，２１…の所定幅は、側部重合部１５の幅よりも広くされ、一方、外側の一対の襞部２１，２１は、折返縁側が切除されないため、その襞部２１，２１の所定幅は、図示したように下部重合部１８の幅と一致させることにより、洗練された外観とすることができるが、あえて一致させなくてもよい。また、ピロー包装用原反２０の襞部２１，２１…の所定間隔とは、上面部１１及びサイドガセット部１３の各幅である。
【００４４】
そして、襞部２１の折返縁側はシールされずに摘み部１７を有する側部重合部１５が設けられ、襞部２１の基端側は弱シールされてシール部１５ａが設けられている。ただし、折返縁側を切除する際に形態を安定させるため、襞部２１の折返縁側もシールしてもよい。この場合は、基端側の弱シールと折返縁側のシールとの間に、シールされない切断部が設けられる。
【００４５】
また、下部重合部１８となる襞部２１にもシール部１８ａが設けられている。前記のように、ピロー包装用原反２０は、重ね合わされる面側にイージーピール層が設けられていることにより、剥離可能な弱シールによってシール部１５ａ，１８ａを容易に設けることができる。なお、シール部１５ａ，１８ａは、弱シールであっても、捲らない限り、剥離することはない。
【００４６】
このように各襞部２１，２１…にシール部１５ａ，１８ａが設けられることにより、ピロー包装用原反２０がロール状に巻回されたときに、また、繰り出されたときに襞部２１，２１…の部分のフィルムが位置ずれすることなく所期の形状を維持し、さらに、包材１０が被包装物１を包装した後に、各重合部１５，１８にシール部１５ａ，１８ａを設けるよりも容易にシールすることができる。
【００４７】
そして、ピロー包装用原反２０の両側部２２，２２は、裏面同士が重ね合わされて剥離しないようにシールされ（一般的に「合掌貼り」と呼ばれる。）、あるいは、図示しないが裏面と表面とが重ね合わされて剥離しないようにシールされ（一般的に「封筒貼り」と呼ばれる。）、被包装物１を一巻きして包（くる）んでいる。
【００４８】
このように被包装物１を一巻きしたピロー包装用原反２０は、被包装物１を挟む位置で幅方向に切断されることにより、所定の長さの上面部１１と底面部１２とサイドガセット部１３を設けた包材１０が形成される。なお、ピロー包装用原反２０は、いうまでもなく片方のみ順次切断される。また、上面部１１と底面部１２とサイドガセット部１３の両端部重合部１６は、前記のように弱シールされてシール部１６ａが設けられる。なお、端部重合部１６に摘み部１７を設ける場合は、端部重合部１６の端縁よりも内側にシール部１６ａが設けられる。
【００４９】
そして、側部重合部１５を設ける一対の襞部２１，２１は、摘み部１７を設けるように折返縁側ないし中間部で切除される。図３において、切断線の一例を破線で示すが、前記のように、襞部２１の基端側と折返縁側とがシールされ、その間に切断部が設けられる場合は、この切断部で切除される。なお、襞部２１，２１…にシール部１５ａ，１８ａが設けられない場合は、側部重合部１５、下部重合部１８及び端部重合部１６の各シール部１５ａ，１８ａ，１６ａを同時に設けてもよい。
【００５０】
このようにして、ピロー包装用原反２０によって被包装物１を包装したピロー包装体が完成する。
【００５１】
次に、第１の実施形態におけるピロー包装体の前記と異なる製造方法について説明する。ピロー包装体は、図４に示すような帯状で、かつ、重ね合わされる面側にイージーピール層が設けられたフィルムからなるピロー包装用原反３０によって製造される。このピロー包装用原反３０は、長手方向に沿って形成された所定幅の襞部３１，３１…が幅方向に所定の間隔を有して３列備えられている。
【００５２】
このピロー包装用原反３０は、図５に示すように、両側部３２，３２の裏面同士を重ね合わせて被包装物１を一巻きすることによって包材１０が形成される。すなわち、ピロー包装用原反３０の重ね合わされた両側部３２，３２が一方の側部重合部１５となり、１列の襞部３１が他方の側部重合部１５となり、この一対の側部重合部１５間に上面部１１が設けられ、他の２列の襞部３１，３１が下部重合部１８となり、この一対の下部重合部１８間に底面部１２が設けられ、各側部重合部１５と下部重合部１８との間にサイドガセット部１３が設けられる。
【００５３】
なお、１列の襞部３１は、折返縁側が切除されるため、その襞部３１の所定幅は、他方の側部重合部１５の幅よりも広くされ、一方、他の２列の襞部３１，３１の所定幅は、下部重合部１８の幅と一致させることにより、洗練された外観とすることができるが、あえて一致させなくてもよい。また、ピロー包装用原反３０の襞部３１の所定間隔とは、底面部１２及びサイドガセット部１３の各幅である。
【００５４】
そして、ピロー包装用原反３０の両側部３２，３２の裏面同士が重ね合わされた一方の側部重合部１５には、剥離可能な弱シールによるライン状のシール部１５ａが設けられる。また、他方の側部重合部１５となる襞部３１の折返縁側はシールされずに摘み部１７を有する側部重合部１５が設けられ、襞部２１の基端側は弱シールされてシール部１５ａが設けられている。また、下部重合部１８となる襞部３１にも、シール部１８ａが設けられている。
【００５５】
前記のように、ピロー包装用原反２０は、重ね合わされる面側にイージーピール層が設けられていることにより、剥離可能な弱シールによってシール部１５ａ，１８ａを容易に設けることができる。なお、シール部１５ａ，１８ａは、弱シールであっても、捲らない限り、剥離することはない。
【００５６】
このようなピロー包装用原反３０は、ロール状に巻回されてストックされ、繰り出されて被包装物１を包装する。ピロー包装用原反３０は、各襞部３１にシール部が設けられていることによって、所期の形状を維持してロール状に巻回され、そして繰り出される。
【００５７】
繰り出されたピロー包装用原反３０は、両側部３２，３２の裏面同士が重なり合うように被包装物１を一巻きし、被包装物１を挟む位置で幅方向に切断されることにより、所定の長さの上面部１１と底面部１２とサイドガセット部１３を設けた包材１０が形成される。なお、ピロー包装用原反３０は、いうまでもなく片方のみ順次切断される。
【００５８】
また、上面部１１と底面部１２とサイドガセット部１３の各端部重合部１６，１６の内側は、前記のように弱シールされてシール部１６ａ，１６ａが設けられる。なお、端部重合部１６に摘み部１７が設けられる場合は、端部重合部１６の端縁よりも内側にシール部１６ａが設けられる。
【００５９】
そして、上面部１１とサイドガセット部１３とが分離できるようにするため、他方の側部重合部１５となる襞部３１は、摘み部１７を設けるように折返縁側ないし中間部で切除される。図５において、切断線を破線で示す。また、一方の側部重合部１５は、ピロー包装用原反３０の両側部３２，３２の裏面同士が重ね合わされて設けられるため、切除する必要がなく、前記の方法に比べて１工程省略することができる。このようにして、ピロー包装用原反３０から被包装物１を包装したピロー包装体が完成する。
【００６０】
いずれの方法によって製造されたピロー包装体も、側部重合部１５と各端部重合部１６とに弱シールによってシール部１５ａ，１６ａが設けられているため、包装された被包装物１は、密封され、所期の品質が維持され、電子レンジなどで調理することができる。そして、摘み部１７を摘んで、上面部１１を捲ることによって開封することができる。４本のシール部は、弱シールによって設けられているため、上面部１１は、サイドガセット部１３との側部重合部１５及び底面部１２との端部重合部１６から完全に剥離し、器状体を全開することができる。この器状体は、下部重合部１８にシール部が設けられていることにより、トレイとして機能する。
【００６１】
〔第２の実施形態〕
次に、本発明に係るピロー包装体の第２の実施形態について図６を参照しながら説明する。このピロー包装体も第１の実施形態と同様、被包装物１をピロー包装によって包装する包材１０を備え、この包材１０には、四角形状の上面部１１と、この上面部１１と同じ形状の底面部１２と、この上面部１１及び底面部１２と同じ長さで二つ折りにされた一対のサイドガセット部１３，１３とが備えられている。底面部１２と一対のサイドガセット部１３，１３により、舟形状の器状体（採番せず）が形成される。
【００６２】
そして、各サイドガセット部１３の上側部は、外向きに折曲され、上面部１１の各側部と重ね合わされている。この重ね合わされたサイドガセット部１３の上側部と上面部１１の各側部が側部重合部１５とされ、この各側部重合部１５に剥離可能な弱シールによってライン状のシール部１５ａが設けられている。
【００６３】
また、上面部１１と底面部１２と両サイドガセット部１３の各端部も重ね合わされ、端部重合部１６が設けられている。両方の端部重合部１６，１６には、剥離可能な弱シールによってライン状のシール部１６ａ，１６ｂが設けられている。この一方の端部重合部１６に設けられたシール部１６ａは、この端部重合部１６の端縁よりも内側をシールし、このシール部１６ａと端縁との間の上面部１１に摘み部１７が設けられている。
【００６４】
ただし、第２の実施形態におけるピロー包装体は、他方の端部重合部１６のシール部１６ｂが剥離されず、上面部１１を蓋体として残存させることを特徴としている。したがって、この他方の端部重合部１６には、シール部１６ｂが端縁に沿って設けられてもよいし、図示しないが端縁から間隔を空けて内側寄りに設けられてもよい。
【００６５】
そして、前記器状体内に被包装物１が密封され、上面部１１が他方の端部重合部１６のシール部１６ｂを除いて捲られ、弱シールが剥離されることにより、開封することができるようにされている。なお、図示した側部重合部１５は、端縁よりも内側にシール部１５ａが設けられているが、一方の端部重合部１６に摘み部１７が設けられることにより、側部重合部１５のシール部１５ａは、端縁に沿って設けられてもよい。
【００６６】
そして、各サイドガセット部１３の下側部も外向きに折曲され、底面部１２の各側部と重ね合わされ、下部重合部１８が設けられている。この各下部重合部１８には、ライン状のシール部１８ａが設けられている。このシール部１８ａによって下部重合部１８が剛性を有するものとなり、前記器状体をトレイとして機能させることができる。
【００６７】
この第２の実施形態におけるピロー包装も第１の実施形態の製造方法について説明した図２又は図４に示すようなピロー包装用原反２０，３０によって製造される。したがって、第２の実施形態においても、図２に示すピロー包装用原反２０からは、図３に示すように被包装物１を一巻きするピロー包装体が製造され、図４に示すピロー包装用原反３０からは、図５に示すように被包装物１を一巻きするピロー包装体が製造される。
【００６８】
いずれも被包装物１を一巻きしたピロー包装用原反２０，３０が被包装物１を挟む位置で幅方向に切断されることにより、所定の長さの上面部１１と底面部１２とサイドガセット部１３を設けた包材１０が形成される。そして、上面部１１と底面部１２とサイドガセット部１３の一方の端部は、重ね合わされて端部重合部１６が設けられ、この一方の端部重合部１６に弱シールによってシール部１６ａが設けられる。
【００６９】
そして、図２に示すピロー包装用原反２０によって各側部重合部１５を設ける各襞部２１，２１は、摘み部１７を設けるように折返縁側ないし中間部で切除され、上面部１１を捲ることができるようにされている。また、図４に示すピロー包装用原反３０によって他方の側部重合部１５を設ける襞部３１は、摘み部１７を設けるように折返縁側ないし中間部で切除され、ピロー包装用原反３０の両側部３２，３２が重ね合わされてシールされたシール部１５ａが切除されることなく、上面部１１を捲ることができるようにされている。
【００７０】
このようにして被包装物１を包装したピロー包装体は、各側部重合部１５と端部重合部１６にシール部１５ａ，１６ａが設けられているため、包装された被包装物１は、密封され、所期の品質を維持することができ、また、電子レンジなどで調理することができる。そして、開封するには、一方の端部重合部１６側の上面部１１に設けられた摘み部１７を捲る。上面部１１は、一方の端部重合部１６から他方の端部重合部１６の方へ剥離する。そして、上面部１１は、他方の端部重合部１６に設けられたシール部１６ｂにおいて剥離しないことにより、蓋体として使用することができる。
【００７１】
〔第３の実施形態〕
次に、本発明に係るピロー包装体の第３の実施形態について図７ないし図９を参照しながら説明する。このピロー包装体も第１及び第２の実施形態と同様、図７に示すように、被包装物１をピロー包装によって包装する包材１０を備え、この包材１０には、四角形状の上面部１１と、この上面部１１と同じ形状の底面部１２と、この上面部１１及び底面部１２と同じ長さで二つ折りにされたサイドガセット部１３とが備えられている。底面部１２と一対のサイドガセット部１３，１３により、舟形状の器状体（採番せず）が形成される。
【００７２】
そして、各サイドガセット部１３の上側部は、外向きに折曲され、上面部１１の各側部と重ね合わされている。この重ね合わされたサイドガセット部１３の上側部と上面部１１の各側部が側部重合部１５とされる。各側部重合部１５，１５に剥離可能な弱シールによってライン状のシール部１５ａ，１５ｂが設けられている。一方の側部重合部１５に設けられたシール部１５ａは、この側部重合部１５の端縁よりも内側をシールし、シール部１５ａと端縁との間の上面部１１に摘み部１７が設けられている。
【００７３】
ただし、第３の実施形態におけるピロー包装体は、他方の側部重合部１５に設けられたシール部１５ｂは剥離されず、上面部１１を蓋体として残存させることを特徴としている。したがって、この他方の側部重合部１５には、シール部１５ｂが端縁に沿って設けられてもよい。
【００７４】
そして、上面部１１と底面部１２と両サイドガセット部１３の各端部も重ね合わされ、端部重合部１６が設けられている。この各端部重合部１６，１６には、剥離可能な弱シールによってライン状のシール部１６ａ，１６ａが設けられている。このシール部１６ａ，１６ａは、端部重合部１６の端縁よりも内側をシールし、シール部１６ａと端縁との間の上面部１１に摘み部１７が設けられる。ただし、側部重合部１５のシール部１５ａと端縁との間にも摘み部１７が設けられていることにより、端部重合部１６のシール部１６ａは、端縁に沿って設けられてもよい。
【００７５】
そして、各サイドガセット部１３の下側部も外向きに折曲され、底面部１２の各側部と重ね合わされ、下部重合部１８が設けられている。この各下部重合部１８にもライン状のシール部１８ａが設けられている。このシール部によって下部重合部１８が剛性を有するものとなり、前記器状体をトレイとして機能させることができる。
【００７６】
この第３の実施形態におけるピロー包装も第１及び第２の実施形態の製造方法について説明した図２又は図４に示すようなピロー包装用原反２０，３０によって製造される。したがって、第３の実施形態においても、図２に示すピロー包装用原反２０からは、図８に示すように被包装物１を一巻きするピロー包装体が製造され、図４に示すピロー包装用原反３０からは、図９に示すように被包装物１を一巻きするピロー包装体が製造される。
【００７７】
ただし、図２に示すピロー包装用原反２０の場合は、一方の側部重合部１５となる襞部２１の基端側は弱シールされてシール部１５ａが設けられている。第１の実施形態において説明したように、一方の側部重合部１５の折返縁側はシールされなくてもよいが、切断しやすいようにシールされていてもよい。また、他方の側部重合部１５となる折返縁側には剥離されないライン状のシール部１５ｂが全幅に又は狭い幅で設けられている。
【００７８】
また、図４に示すピロー包装用原反３０の場合は、一方の側部重合部１５となる両側部３２，３２には剥離可能な弱シールによるライン状のシール部１５ａが内寄りに設けられ、他方の側部重合部１５となる襞部２１には剥離されないシール部１５ｂが全幅に又は狭い幅で設けられている。
【００７９】
いずれにしても、ピロー包装用原反２０，３０は、被包装物１を一巻きし、この被包装物１を挟む位置で幅方向に切断されることにより、所定の長さの上面部１１と底面部１２とサイドガセット部１３が設けられる。そして、上面部１１と底面部１２とサイドガセット部１３の各端部は、重ね合わされて端部重合部１６が設けられ、弱シールによってライン状のシール部１６ａが設けられる。このシール部１６ａは、図示したように端部重合部１６の端縁よりも内側に設けられてもよいが、一方の側部重合部１５に摘み部１７が設けられることにより、端部重合部１６のシール部１６ａ，１６ａは側縁に沿って設けられてもよい。
【００８０】
そして、図２に示すピロー包装用原反２０によって各側部重合部１５を設ける一方の襞部２１は、上面部１１を捲ることができるように、摘み部１７を設けるように折返縁側ないし中間部で切除される。図８において切断線の一例を破線で示す。そして、他方の側部重合部１５となる襞部２１の折返縁側は、第１及び第２の実施形態と異なり切除されない。
【００８１】
また、図４に示すピロー包装用原反３０によって各側部重合部１５を設ける襞部３１，３１，３１は、図９に示すように、一方の側部重合部１５を設けた両側部３２，３２が重ね合わされて弱シールされているため切除されず、他方の側部重合部１５となる襞部３１の折返縁側は、第１及び第２の実施形態と異なり、切除されない。
【００８２】
このようにして被包装物１を包装したピロー包装体は、各側部重合部１５と端部重合部１６にシール部１５ａ，１５ｂ，１６ａが設けられ、被包装物１を密封することにより、所期の品質を維持することができ、また、電子レンジなどで調理することができる。そして、開封するには、一方の側部重合部１５側の上面部１１に設けられた摘み部１７を捲る。上面部１１は、一方の側部重合部１５から他方の側部重合部１５の方へ剥離する。
【００８３】
そして、上面部１１は、他方の側部重合部１５に設けられたシール部１５ｂにおいて剥離しないことにより、蓋体として使用することができる。このように、上面部１１が他方の側部重合部１５において剥離しないことにより、他方の側部重合部１５を設ける襞部３１の折返縁側を切除する必要がない。また、この他方の側部重合部１５のシール部１５ｂが剥離されたとしても、襞部３１の折返縁側が切除されていないことにより、上面部１１を蓋体として使用することができる。
【００８４】
〔他の実施形態〕
なお、本発明は、前記３つの実施形態に限定することなく、特許請求の範囲に記載した技術的事項の範囲内において種々変更することができる。例えば、ピロー包装体は、開封された器状体をトレイとして使用しなければ、シール部を設けた下部重合部１８を備えなくてもよい。この場合は、一対又は１列のみの襞部２１，３１を設けたピロー包装用原反２０，３０によって包材１０が形成される。
【００８５】
また、本ピロー包装体は、前記のようなピロー包装用原反２０，３０から製造するのではなく、４枚のシート又は２枚のシートから製造することができる。すなわち、上面部１１を設けるシートと底面部１２を設けるシートと、一対のサイドガセット部１３，１３を設ける二つ折りされた２枚のシートとによって包材１０を形成し、各シートの各側部を重ね合わせて側部重合部１５と下部重合部１８を設け、側部重合部１５に弱シールによるライン状のシール部１５ａを設け、下部重合部１８に剥離されないライン状のシール部１８ａを設ける。
【００８６】
また、上面部１１を設けるシートと、底面部１２及び両サイドガセット部１３，１３を一体に設けるシートとによって包材１０を形成し、各シートの各側部を重ね合わせて側部重合部１５を設け、この側部重合部１５に弱シールによるライン状のシール部１５ａを設けてもよい。この場合は、底面部１２とサイドガセット部１３との両側部を重ね合わせた下部重合部１８を設け、この下部重合部１８に剥離されないシールによってライン状のシール部１８ａを設けてもよい。
【００８７】
このような複数のシートによって設けられた上面部１１、底面部１２及び一対のサイドガセット部１３，１３からなる包材１０は、一端部を重ね合わせて端部重合部１６を設け、この端部重合部１６にシール部１６ａを設けた後、被包装物１を内部に収納し、他端部を重ね合わせて端部重合部１６を設け、この端部重合部１６にシール部１６ａを設けてもよいし、包材１０が被包装物１を一巻きにした状態とした後、両方の端部を重ね合わせて端部重合部１６を設け、両方の端部重合部１６にシール部１６ａ，１６ａを同時に設けてもよい。
【００８８】
また、襞部２１，３１は、山折り状にしたものに限らず、図１０に示すようなものであってもよい。これは、同図（ｃ）に示すように、所定幅の折返部４３が形成されるよう、ピロー包装用原反４０を幅方向に折り込み、折返部４３によってピロー包装用原反４０が重なる部分のうち、一方の折返縁側７を除いた領域４４（あるいはこれよりも幅狭の領域）を弱シールによって接合することにより、同図（ａ）、（ｂ）に示すように、除かれた部分を襞部３とし、しかも、接合された部分が襞部３の厚みに対応した厚み調整部４とするものである。これにより、襞部３だけの場合と比べて増厚部の幅が広くなり、その結果、厚みの局所的な偏りが緩和されるため、ピロー包装用原反をロール状に巻回する際の巻取り安定性が向上し、両側端をきれいに揃えた状態でロール状に巻回することが可能となる。
【００８９】
また、本ピロー包装体は、前記のようにイージーピール層を設けたフィルムから製造するのではなく、剥離するシール部をパートコートによって弱シールし、剥離されないシール部を通常の強度によってシールしてもよい。
【００９０】
また、本ピロー包装体は、特に前記のようにシートによって製造する場合において、上面部１１及び底面部１２は、長方形に限らず、正方形、多角形、円形、長円形など任意の形状とすることができる。さらに、被包装物１は、電子レンジように限定するものではなく、食品以外の日用品などであっても本ピロー包装体によって包装することができる。
【図面の簡単な説明】
【００９１】
【図１】本発明に係る第１の実施形態のピロー包装体を示す解斜視図である。
【図２】本発明に係るピロー包装体を製造するピロー包装用原反の一実施形態であって、（ａ）は斜視図、（ｂ）は正面図である。
【図３】本発明に係るピロー包装体であって、図２に示すピロー包装用原反によって包装したときの一実施形態の示す断面正面図である。
【図４】本発明に係るピロー包装体を製造するピロー包装用原反の図２と異なる実施形態であって、（ａ）は斜視図、（ｂ）は正面図である。
【図５】本発明に係るピロー包装体であって、図４に示すピロー包装用原反によって包装したときの一実施形態の示す断面正面図である。
【図６】本発明に係る第２の実施形態のピロー包装体を示す解斜視図である。
【図７】本発明に係る第３の実施形態のピロー包装体を示す解斜視図である。
【図８】本発明に係る第３の実施形態のピロー包装体を示す断面正面図である。
【図９】本発明に係る第３の実施形態のピロー包装体であって、図８の変形例を示す断面正面図である。
【図１０】本発明に係る他の実施形態のピロー包装体であって、（ａ）はロール状に巻き取った状態の斜視図、（ｂ）は（ａ）のＸ部拡大図、（ｃ）は（ｂ）の製作概念図である。
【図１１】従来のピロー包装体の一例である電子レンジ用包装袋であって、（ａ）は斜視図、（ｂ）は（ａ）のＸ−Ｘ線断面図である。
【符号の説明】
【００９２】
１………被包装物
１０……包材
１１……上面部
１２……底面部
１３……サイドガセット部
１５……側部重合部
１５ａ…シール部
１６……端部重合部
１６ａ…シール部
１７……摘み部
１８……下部重合部
１８ａ…シール部
２０……ピロー包装用原反
２１……襞部
２２……側部
３０……ピロー包装用原反
３１……襞部
３２……側部
４０……ピロー包装用原反
４１……襞部
【図１】
0005055048.tif 000002
【図２】
0005055048.tif 000003
【図３】
0005055048.tif 000004
【図４】
0005055048.tif 000005
【図５】
0005055048.tif 000006
【図６】
0005055048.tif 000007
【図７】
0005055048.tif 000008
【図８】
0005055048.tif 000009
【図９】
0005055048.tif 000010
【図１０】
0005055048.tif 000011
【図１１】
0005055048.tif 000012